【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
第１のラインプロファイルから第２のラインプロファイルにデジタル加入者回線（ＤＳＬ）の動作を遷移するかどうかを評価する方法であって、
前記第１のラインプロファイルにおいて前記ＤＳＬに関連する操作データを収集することと、
前記第２のラインプロファイルを選択することと、
前記収集した操作データおよび１つまたは複数の遷移ルールに基づいて、前記ＤＳＬが前記第２のラインプロファイルを操作することが可能であるかを判別することと、そして、
前記収集した操作データおよび１つまたは複数の遷移ルールに基づいて、前記ＤＳＬが前記第２のラインプロファイルを操作することが可能であるときに、前記ＤＳＬに前記第２のラインプロファイルを操作することを指示することと、
を備える方法。
【請求項２】
前記操作データが１つまたは複数の操作パラメータ値に関連するデータを備える請求項１に記載の方法。
【請求項３】
前記１つまたは複数の操作パラメータ値が、
コード違反データ、
フォワード・エラー・コレクション（ＦＥＣ）カウントデータ、
雑音マージンデータ、そして
再訓練カウントデータ、
の内の１つまたは複数のパラメータ値を含む請求項２に記載の方法。
【請求項４】
前記第１のラインプロファイルと前記第２のラインプロファイルが、
データレート、
ＦＥＣ（フォワード・エラー・コレクション）コーディング、
ＰＳＤ（パワースペクトル密度）、
ＴＳＮＲＭ（目標の信号対雑音比マージン）、
ＭＡＸＳＮＲＭ（最大の信号対雑音比マージン）、
ＭＩＮＳＮＲＭ（最小の信号対雑音比マージン）、
ＣＡＲＭＡＳＫ（キャリヤマスク）、
ＩＮＰ（インパルス雑音保護）、または
遅延、
の操作パラメータの少なくとも１つにおいて異なる請求項１に記載の方法。
【請求項５】
前記操作データが、
報告されるデータ、または
推定されるデータ、
の少なくとも１つを備える請求項１に記載の方法。
【請求項６】
第１のラインプロファイルから第２のラインプロファイルにデジタル加入者回線（ＤＳＬ）の動作を遷移するかどうかを評価するための、デジタル加入者回線（ＤＳＬ）システム用のコントローラであって、
前記第１のラインプロファイルにおいて前記ＤＳＬに関連する操作データを収集する手段と、
前記第２のラインプロファイルを選択する手段と、
前記収集した操作データおよび１つまたは複数の遷移ルールに基づいて、前記ＤＳＬが前記第２のラインプロファイルを操作することが可能であるかを判別する手段と、そして、
前記収集した操作データおよび１つまたは複数の遷移ルールに基づいて、前記ＤＳＬが前記第２のラインプロファイルを操作することが可能であるときに、前記ＤＳＬに前記第２のラインプロファイルを操作することを指示する手段と、
を備えるコントローラ。
【請求項７】
前記操作データが１つまたは複数の操作パラメータ値に関連するデータを備える請求項６に記載のコントローラ。
【請求項８】
前記１つまたは複数の操作パラメータ値が、
コード違反データ、
フォワード・エラー・コレクション（ＦＥＣ）カウントデータ、
雑音マージンデータ、そして
再訓練カウントデータ、
の１つまたは複数を含む請求項７に記載のコントローラ。
【請求項９】
前記第１のラインプロファイルと前記第２のラインプロファイルが、
データレート、
ＦＥＣ（フォワード・エラー・コレクション）コーディング、
ＰＳＤ（パワースペクトル密度）、
ＴＳＮＲＭ（目標の信号対雑音比マージン）、
ＭＡＸＳＮＲＭ（最大の信号対雑音比マージン）、
ＭＩＮＳＮＲＭ（最小の信号対雑音比マージン）、
ＣＡＲＭＡＳＫ（キャリヤマスク）、
ＩＮＰ（インパルス雑音保護）、または
遅延、
の操作パラメータの少なくとも１つにおいて異なる請求項６に記載のコントローラ。
【請求項１０】
前記操作データが、
報告されるデータ、または
推定されるデータ
の少なくとも１つを備える請求項６に記載のコントローラ。
【請求項１１】
現在のラインプロファイルから１つまたは複数の目標ラインプロファイルにデジタル加入者回線（ＤＳＬ）の動作を遷移するかどうかを評価する方法であって、
（１）−プロファイル状態遷移行列と、
−複数の閾値テーブルと、
−複数のサブルールと、
−前記目標ラインプロファイルのそれぞれの実行不可能性を判別するために、前記サブルールからの出力を結合した全体的な規則と、を備えることと、
（２）前記現在のプロファイルで動作することと、
（３）操作データを収集することと、
（４）前記現在のラインプロファイル、及び前記目標ラインプロファイルのそれぞれの実現可能性を評価することと、
（５）選択されたラインプロファイルにおいて前記ＤＳＬを操作することと、を備え、
前記選択されたラインプロファイルは、前記現在のラインプロファイルと前記目標ラインプロファイルのうちで、
前記状態遷移行列で最高の優先順位を有し、
実現不可能であると評価されないラインプロファイルを含む方法。
【請求項１２】
前記閾値テーブルが操作基準の発生の確率を含む請求項１１に記載の方法。
【請求項１３】
前記現在のプロファイルと目標プロファイルが、
データレート、
ＦＥＣ（フォワード・エラー・コレクション）コーディング、
ＰＳＤ（パワースペクトル密度）、
ＴＳＮＲＭ（目標の信号対雑音比マージン）、
ＭＡＸＳＮＲＭ（最大の信号対雑音比マージン）、
ＭＩＮＳＮＲＭ（最小の信号対雑音比マージン）、
ＣＡＲＭＡＳＫ（キャリヤマスク）、
ＩＮＰ（インパルス雑音保護）、または
遅延、
の操作パラメータの少なくとも１つにおいて異なる請求項１１に記載の方法。
【請求項１４】
前記収集された操作データが報告データと推定データとを提供するために使用される請求項１１に記載の方法。
【請求項１５】
前記報告データが、
報告最大達成可能データレート、
報告フォワード・エラー・コレクション（ＦＥＣ）カウント、
報告雑音マージン、
報告コード違反カウント、
報告エラー秒、
報告重度エラー秒、または
報告再訓練カウント数
の少なくとも１つを含む請求項１４に記載の方法。
【請求項１６】
前記推定データが、
推定最大達成可能データレート、
推定フォワード・エラー・コレクション（ＦＥＣ）カウント、
推定雑音マージン、
推定コード違反カウント、または
推定再訓練カウント数
の少なくとも１つを含む請求項１４に記載の方法。
【請求項１７】
前記状態遷移行列が利用可能な状態に優先順位を付ける請求項１１に記載の方法。
【請求項１８】
前記サブルールのそれぞれが、
前記現在のラインプロファイルに関するデータの分布、または
各目標ラインプロファイルに関するデータの分布
の内の少なくとも１つの検査を備える請求項１１に記載の方法。
【請求項１９】
前記現在のラインプロファイル及び前記目標ラインプロファイルのそれぞれの実現可能性を評価することは、旧いデータを重み付けすることを備える請求項１１に記載の方法。
【請求項２０】
前記プロファイル遷移行列、
少なくとも１つの閾値テーブル、または
旧いデータに適用される重み付け
の少なくとも１つを適応的に更新すること、をさらに備える請求項１１に記載の方法。
【請求項２１】
前記現在のラインプロファイル及び前記目標ラインプロファイルのそれぞれの実現可能性を評価することは、任意のラインプロファイルの実現可能性を評価することの前提条件として最小のデータ量を必要とすることを備える請求項１１に記載の方法。
【請求項２２】
デジタル加入者回線（ＤＳＬ）の動作を現在のラインプロファイルから１つまたは複数の目標ラインプロファイルに遷移するかどうかを評価する方法であって、
前記目標ラインプロファイルの優先順位付けを備えるプロファイル状態遷移行列と、
蓋然性のあるサブルールを備える複数の閾値テーブルと、
可能性のある目標回線の実行不可能性を判別するために、前記サブルールからの出力を結合した全体的な規則と、
を備えることと、
前記現在のラインプロファイルで動作することと、
前記現在のラインプロファイル、または
前記目標ラインプロファイルの１つ、
の少なくとも１つで、前記ＤＳＬの動作に関する報告データと推定データを生成するために、操作データを収集することと、
前記現在のラインプロファイルから前記目標ラインプロファイルのそれぞれに移動することの実現不可能性を評価するために１つまたは複数の実現可能性試験を実行することと、
最良のラインプロファイルで前記ＤＳＬ回線を操作することと、を備え、
前記最良のラインプロファイルが、前記現在のラインプロファイルと前記目標ラインプロファイルのうちで、
前記状態遷移行列で最高の優先順位を有し、
実現不可能であると評価されないラインプロファイルを含む方法。
【請求項２３】
前記現在のラインプロファイルと前記目標ラインプロファイルが、
データレート、
ＦＥＣ（フォワード・エラー・コレクション）コーディング、
ＰＳＤ（パワースペクトル密度）、
ＴＳＮＲＭ（目標の信号対雑音比マージン）、
ＭＡＸＳＮＲＭ（最大の信号対雑音比マージン）、
ＭＩＮＳＮＲＭ（最小の信号対雑音比マージン）、
ＣＡＲＭＡＳＫ（キャリヤマスク）、
ＩＮＰ（インパルス雑音保護）、または
遅延、
の操作パラメータの少なくとも１つにおいて異なる請求項２２に記載の方法。
【請求項２４】
前記報告データ及び前記推定データのそれぞれが、
最大達成可能データレート、
フォワード・エラー・コレクション（ＦＥＣ）カウント、
雑音マージン、
コード違反カウント、
エラー秒、
重度エラー秒、または
再訓練カウント数
の少なくとも１つに関連するデータを備える請求項２２に記載の方法。
【請求項２５】
現在のラインプロファイルで動作するデジタル加入者回線（ＤＳＬ）に、複数の潜在的なラインプロファイルの１つで動作するように指示するかどうかを評価するためのデジタル加入者回線（ＤＳＬ）最適化装置であって、前記システムは、
データ収集モジュールと分析モジュールとを備えるコントローラであって、前記ＤＳＬと、前記現在のラインプロファイルを使用して前記ＤＳＬ上で動作するＤＳＬ装置とを備えるＤＳＬシステムに接続されるコントローラを備え、
前記データ収集モジュールが前記潜在的なラインプロファイルの１つまたは複数での前記ＤＳＬの動作に関する操作データを収集し、前記潜在的なラインプロファイルが、
前記現在のラインプロファイルと、
１つまたは複数の目標ラインプロファイルと、の１つまたは複数を備え、
さらに、前記分析モジュールが、
前記潜在的なラインプロファイルの優先順位付けを備える状態遷移行列の実施と、
１つまたは複数の規則の実施と、を備え、
さらに、前記分析モジュールが、
前記現在のラインプロファイルから前記潜在的なラインプロファイルのそれぞれに移動することの実現可能性を決定するために、１つまたは複数の実現可能性試験を実行し、
前記ＤＳＬ回線に最良の利用可能ラインプロファイルを使用して動作するように指示し、前記最良の利用可能ラインプロファイルが、
前記状態遷移行列において最高の優先順位を有し、
実現不可能であると判断されていない、前記潜在的なラインプロファイルを備える、
ＤＳＬ最適化装置。
【請求項２６】
前記１つまたは複数の規則が
複数のサブルールと、
前記複数のサブルールからの出力を使用して潜在的なラインプロファイルの実現可能性を決定する全体的な規則と、
を備える請求項２５に記載のＤＳＬ最適化装置。
【請求項２７】
前記収集された操作データが、報告データ及び推定データを生成するために使用される請求項２５に記載のＤＳＬ最適化装置。
【請求項２８】
前記報告データ及び前記推定データのそれぞれが、
最大達成可能データレート、
フォワード・エラー・コレクション（ＦＥＣ）補正カウント、
雑音マージン、
コード違反カウント、または
再訓練カウント数
の少なくとも１つに関連するデータを備える請求項２７に記載のＤＳＬ最適化装置。
【請求項２９】
前記現在のラインプロファイルと各目標ラインプロファイルが、
データレート、
ＦＥＣ（フォワード・エラー・コレクション）コーディング、
ＰＳＤ（パワースペクトル密度）、
ＴＳＮＲＭ（目標の信号対雑音比マージン）、
ＭＡＸＳＮＲＭ（最大の信号対雑音比マージン）、
ＭＩＮＳＮＲＭ（最小の信号対雑音比マージン）、
ＣＡＲＭＡＳＫ（キャリヤマスク）、
ＩＮＰ（インパルス雑音保護）、または
遅延、
の操作パラメータの少なくとも１つにおいて異なる請求項２５に記載のＤＳＬ最適化装置。